(57)【特許請求の範囲】
【請求項１】
基材に設けられた複数のマーク部と、
基材に形成された複数の凸部とを有し、
前記複数の凸部は、それぞれその全周に側面を有し、第１の凸部群と第２の凸部群とからなり、
前記複数のマーク部は、前記複数の凸部のそれぞれの側面の全周に渡って設けられ、かつ、前記第１の凸部群を構成する凸部と、前記第２の凸部群を構成する凸部とで、任意の同一方向から観察した場合に前記側面の配色割合が当該マーク部によって互いに異なるように設けられている偽造防止媒体。
【発明の詳細な説明】
【技術分野】
【０００１】
本発明は、偽造防止シート等の偽造防止媒体に関し、特に、潜像を用いた偽造防止構造に関する。
【背景技術】
【０００２】
従来より、プリペイドカードや各種入場券、商品券や株券等の有価証券においては、広く流通しており比較的容易に換金可能である等の理由から、偽造犯罪が頻発している。特に、近年ではカラーコピー機等の複写機の性能向上と普及に伴い、簡単には真正品と見分けられない偽造品が比較的容易に製造可能になってきており、偽造に対する対策が求められている。また、上述したような有価証券に限らず、紙幣においても偽造に対する対策が求められている。
【０００３】
このような偽造に対する対策の１つとして、潜像を用いて有価証券や紙幣の真偽判別を可能とする技術が考えられており、例えば、特許文献１に開示されている。
【０００４】
特許文献１に開示された技術は、シート基材上に、複数本の印刷万線と、この印刷万線と並列し、一部が印刷万線と直交する方向に延在し、かつ、断面が隆起したレリーフ万線とを設け、観察方向によって潜像を浮かび上がらせるものである。基材を正面から見た場合は全ての印刷万線が視認可能な状態となっている。ところが、観察方向を印刷万線及びレリーフ万線と直交する方向に変化させていくと、印刷万線のうちレリーフ万線が延在した部分がその延在したレリーフ万線の陰となって視認できなくなる一方、印刷万線のその他の部分は視認可能な状態のままとなる。これにより、レリーフ万線の形状に応じた潜像を浮かび上がらせることができる。
【０００５】
このように断面が隆起したレリーフ万線を設けたシート基材においては、複写した場合、表面に印刷された印刷万線を含む印刷情報は複写されるものの、レリーフ万線の隆起形状までは再現できない。そのため、複写物の観察方向を変化させていった場合であっても、潜像は浮かび上がらず、それにより、真偽判別を行うことが可能となる。
【特許文献１】特開２０００−３１３１６１号公報
【発明の開示】
【発明が解決しようとする課題】
【０００６】
しかしながら、上述したように、シート基材上に、複数本の印刷万線と、この印刷万線と並列し、一部が印刷万線と直交する方向に延在し、かつ、断面が隆起したレリーフ万線とを設け、この印刷万線とレリーフ万線とで潜像を浮かび上がらせるものにおいては、印刷万線及びレリーフ万線と直交する方向から観察した場合にしか潜像が浮かび上がらず、潜像による真偽判別がしやすいとは言い難い。特に、観察方向が制限されている場合、潜像による真偽判別ができなくなる虞れがある。
【０００７】
本発明は、上述したような従来の技術が有する問題点に鑑みてなされたものであって、観察方向に制限されることなく真偽判別を容易に行うことができる偽造防止媒体を提供することを目的とする。
【課題を解決するための手段】
【０００８】
上記目的を達成するために本発明は、
基材に設けられた複数のマーク部と、
基材に形成された複数の凸部とを有し、
前記複数の凸部は、それぞれその全周に側面を有し、第１の凸部群と第２の凸部群とからなり、
前記複数のマーク部は、前記複数の凸部のそれぞれの側面の全周に渡って設けられ、かつ、前記第１の凸部群を構成する凸部と、前記第２の凸部群を構成する凸部とで、任意の同一方向から観察した場合に前記側面の配色割合が当該マーク部によって互いに異なるように設けられている。
【０００９】
上記のように構成された本発明においては、基材を正面から観察した場合、側面の配色割合が互いに異なる第１の凸部群を構成する凸部と第２の凸部群を構成する凸部とが識別可能となる場合があるものの、これら凸部の側面は観察方向に対向していないため、観察方向からの光が凸部の側面にて観察方向以外の方向にも反射して分散してしまい、凸部の側面の配色割合がはっきりとは視認されず、第１の凸部群を構成する凸部と第２の凸部群を構成する凸部との識別が曖昧なものとなる。この状態から観察方向を基材表面に対して鋭角をなす方向に変化させていくと、観察方向が複数の凸部の側面に対向するようになっていく。すると、観察方向からの光が凸部の側面にて観察方向に反射することになり、凸部の側面における配色割合が明確に視認される。そのため、第１の凸部群を構成する凸部の配色割合と、第２の凸部群を構成する凸部の配色割合との違いが明確に視認され、第１の凸部群を構成する凸部と第２の凸部群を構成する凸部とが、明確に識別されることになる。
【００１０】
これにより、例えば、第１の凸部群によって文字部を構成し、第２の凸部群によって背景部を構成すれば、観察方向を基材表面に対して鋭角をなす方向に変化させていくと、複数の凸部の側面の配色割合による見え方が変化し、第２の凸部群による背景の中に、第１の凸部群による文字が明確に現れてくることになる。ここで、第１の凸部群を構成する凸部と第２の凸部群を構成する凸部とは、同一方向から観察した場合における側面の配色割合が互いに異なっているので、観察方向を基材表面に対して鋭角をなすどの方向に変化させていった場合であっても、第１の凸部群を構成する凸部と第２の凸部群を構成する凸部とが、明確に識別されることになる。
【発明の効果】
【００１１】
以上説明したように本発明においては、基材表面に側面を具備して形成された第１の凸部群を構成する凸部と第２の凸部群を構成する凸部とが、同一方向から観察した場合における側面の配色割合が互いに異なる構成としたため、観察方向を基材表面に対して鋭角をなすどの方向に変化させていった場合であっても、第１の凸部群を構成する凸部と第２の凸部群を構成する凸部とが明確に識別されることになり、観察方向に制限されることなく真偽判別を容易に行うことができる。
【発明を実施するための最良の形態】
【００１２】
以下に、本発明の実施の形態について図面を参照して説明する。
【００１３】
（第１の実施の形態）
図１は、本発明の偽造防止媒体の第１の実施の形態となる偽造防止シートを示す図であり、（ａ）は全体の構成を示す図、（ｂ）は（ａ）に示した偽造防止構造１０の詳細な構成を示す図、（ｃ）は（ｂ）に示したＡ−Ａ’断面図、（ｄ）は第１の凸部群を構成する凸部１１の構成を示す図、（ｅ）は第２の凸部群を構成する凸部１１の構成を示す図である。
【００１４】
本形態の偽造防止シート１は図１に示すように、紙からなるシート基材２の一部の領域に偽造防止構造１０が設けられて構成されている。シート基材２は、平面部３を有し、この平面部３の一部の領域に情報印刷領域４が設けられるとともに、他の領域に偽造防止構造１０が設けられている。このように構成された偽造防止シート１は、例えば、コンサート等の入場チケットとして用いることが考えられる。その場合、コンサートの内容や会場名、座席番号等が情報印刷領域４に印刷されることになる。また、シート基材２の情報印刷領域４に情報が印刷される前に、シート基材２に対してプレ印刷として地紋を印刷したり所定の色に着色したりすることも考えられるが、その場合、偽造防止構造１０による潜像が見にくくならないようにする必要がある。
【００１５】
シート基材２に設けられた偽造防止構造１０は図１（ｂ）に示すように、シート基材２に複数の凸部１１がマトリックス状に形成されるとともに、その凸部１１のそれぞれに重なるようにマーク１２，１３が印刷されて構成されている。この凸部１１は、図１（ｃ）〜（ｅ）に示すように、円錐から頂点の部分が取り除かれた形状であって、シート基材２をエンボス版等で平面部３側から０．０５〜０．１ｍｍ程度窪ませることにより側面１１ａが形成され、平面部３との同一面が頂部１１ｂとなっている。そして、この頂部１１ｂからシート基材２の窪み方向に向かうに従ってその断面積が徐々に広くなり、凸部１１の底部においては、直径が０．５ｍｍ以下の円形状となっている。
【００１６】
複数の凸部１１は、側面１１ａにマーク１３が形成された第１の凸部群を構成する凸部１１と、側面１１ａにマーク１２が形成された第２の凸部群を構成する凸部１１とからなる。第１の凸部群を構成する凸部１１に形成されたマーク１３と、第２の凸部群を構成する凸部１１に形成されたマーク１２とは、それぞれ凸部１１の側面１１ａの全周に渡って形成されており、マーク部１３の線幅１３がマーク部１２の線幅よりも太くなっている。これにより、第１の凸部群を構成する凸部１１と第２の凸部群を構成する凸部１１とは、同一方向から観察した場合に側面１１ａにおける配色割合が互いに異なっている。マーク１３が形成された第１の凸部群を構成する凸部１１は、マトリックス状に形成された複数の凸部１１のうち、潜像となる「Ｔ」を表現する位置に配置されたものであり、また、その他の凸部１１が第２の凸部群を構成するものとなる。
【００１７】
なお、本形態にて図示する偽造防止構造１０は、説明を簡単にするために１００個の凸部１１が１０×１０のマトリックス状に形成され、その１００個の凸部１１にマーク１２あるいはマーク１３が形成されたものであるが、その数を多くすればするほど、この偽造防止構造１０によって浮き上がらせることができる潜像となる文字を精細なものとすることができ、曲線等を表現しやすくなる。
【００１８】
以下に、上記のように構成された偽造防止シート１の製造方法について説明する。
【００１９】
まず、シート基材２の偽造防止構造１０が設けられる領域に、円形状の複数のマーク１２，１３を１０×１０のマトリックス状に印刷する。マーク１３は、１０×１０のマトリックス状のうち、「Ｔ」を形成する位置に印刷し、マーク１２は、それ以外の位置に印刷する。これらマーク１２，１３の組み合わせは、偽造防止構造１０によって浮かび上がる潜像（本形態においては「Ｔ」）に応じて予め設定されており、印刷データとして与えられる。また、これらマーク１２，１３の印刷は、上述したようなプレ印刷と同時に行ってもよいし、上述したプレ印刷を行った後に行ってもよい。
【００２０】
次に、マーク１２，１３が印刷された領域に、シート基材２の平面部３側からエンボス版を押し付けることにより複数の凸部１１を形成する。このエンボス版による凸部１１のピッチとマーク１２，１３のピッチとは同一であって、凸部１１をマーク１２，１３に重なるように形成することにより、マーク部１２，１３がそれぞれ凸部１１の側面１１ａの全周に渡って形成された状態となる。
【００２１】
上述したようにして偽造防止シート１が製造され、その後、用途に応じた情報がシート基材２の情報印刷領域４に印刷されて使用されることになる。
【００２２】
以下に、上述した偽造防止シート１の作用について説明する。
【００２３】
まず、図１に示した偽造防止シート１を正面、すなわち、シート基材２の平面部３の法線方向から観察した場合の作用について説明する。
【００２４】
図２は、図１に示した偽造防止シート１を正面から観察した場合の作用を説明するための図であり、（ａ）は第１の凸部群を構成する凸部１１における光の反射を示す図、（ｂ）は（ａ）に示した光の反射によるマーク１３の見え方を示す図、（ｃ）は第２の凸部群を構成する凸部１１における光の反射を示す図、（ｄ）は（ｃ）に示した光の反射によるマーク１２の見え方を示す図、（ｅ）は偽造防止構造１０におけるマーク１２，１３の見え方を示す図である。
【００２５】
図１に示した偽造防止シート１を正面から観察した場合、シート基材２に形成された凸部１１の側面１１ａにおいては、観察方向に対向しない状態となっているため、観察方向からの光は観察方向以外の方向にも反射してこの反射光の観察方向における受光量が少なくなる。偽造防止構造１０に設けられたマーク１３は、凸部１１の側面１１ａに設けられているため、図２（ａ）の破線で示すように観察方向からの光がマーク１３上で観察方向以外にも反射して分散し、それにより、図２（ｂ）に示すようにマーク１３は薄くしか見えない状態となる。
【００２６】
また、偽造防止構造１０に設けられたマーク１２においても同様に、凸部１１の側面１１ａに設けられているため、偽造防止シート１を正面から観察した場合、図２（ｃ）の破線で示すように観察方向からの光がマーク１２上で観察方向以外にも反射して分散し、それにより、図２（ｄ）に示すようにマーク１２は薄くしか見えない状態となる。
【００２７】
そのため、偽造防止シート１を正面から観察した場合は、図２（ｅ）に示すように、マーク１２，１３が薄くしか見えないことにより、第１の凸部群を構成する凸部１１の側面１１ａにおけるマーク１３による配色割合と、第２の凸部群を構成する凸部１１の側面１１ａにおけるマーク１２による配色割合との違いがはっきりとは認識されず、それにより、第１の凸部群を構成する凸部１１と第２の凸部群を構成する凸部１１とが曖昧にしか識別することができず、側面１１ａにマーク１３が形成された第１の凸部群を形成する凸部１１による潜像「Ｔ」がはっきりとは認識されない。また、凸部１１の側面１１ａの平面部３に対してなす角度が９０度に近ければ、凸部１１の側面１１ａに形成されたマーク１２とマーク１３とは、線幅が互いに異なるものの、偽造防止シート１を正面から観察した場合、その線幅の違いが認識されにくく、それによっても、第１の凸部群を構成する凸部１１と第２の凸部群を構成する凸部１１とが曖昧にしか識別することができない。
【００２８】
このように、図１に示した偽造防止シート１を正面から観察した場合は、第１の凸部群を構成する凸部１１による潜像「Ｔ」は認識されにくくなっている。
【００２９】
次に、図１に示した偽造防止シート１に対する観察方向を正面、すなわち、シート基材２の平面部３の法線方向から変化させていった場合の作用について説明する。
【００３０】
図３は、図１に示した偽造防止シート１に対する観察方向を正面から変化させていった場合の作用を説明するための図であり、（ａ）は第１の凸部群を構成する凸部１１における光の反射を示す図、（ｂ）は第２の凸部群を構成する凸部１１における光の反射を示す図、（ｃ）〜（ｆ）は偽造防止構造１０におけるマーク１２，１３の見え方を示す図である。
【００３１】
図１に示した偽造防止シート１に対する観察方向を正面から変化させていくと、その観察方向が、シート基材２に形成された凸部１１の側面１１ａに対向する方向に近づいていく。すると、凸部１１の側面１１ａにおいては、観察方向からの光が観察方向にそのまま反射してこの反射光の観察方向における受光量が多くなる。偽造防止構造１０に設けられたマーク１３は、シート基材２に形成された凸部１１の側面１１ａに設けられているため、図３（ａ）の一点鎖線で示すように観察方向からの光がマーク１３上で観察方向に反射し、それにより、マーク１３が明確に見えるようになる。
【００３２】
また、偽造防止構造１０に設けられたマーク１２においても、シート基材２に形成された凸部１１の側面１１ａに設けられているため、図３（ｂ）の一点鎖線で示すように観察方向からの光がマーク１２上で観察方向に反射し、それにより、マーク１２が明確に見えるようになる。
【００３３】
そのため、偽造防止シート１に対する観察方向を、例えば図１中下側に変化させていくと図３（ｃ）に示すように、マーク１２とマーク１３との線幅の違い、すなわち、この線幅の違いによる第１の凸部群を構成する凸部１１の側面１１ａにおける配色割合と第２の凸部群を構成する凸部１１の側面１１ａにおける配色割合との違いが明確となり、それにより、マーク１３が形成された凸部１１によって構成される潜像「Ｔ」が浮かび上がって見えるようになる。またこの際、凸部１１を近接して形成したり、偽造防止シート１に対する観察方向をシート基材２の法線方向から大きく変化させたりした場合、第２の凸部群を構成する凸部１１の側面１１ａに形成されたマーク１２が、その凸部１１の観察方向側に隣接する凸部１１によって隠れて見えなくなり、マーク１３による潜像が視認しやすくなる。この効果は、マーク１２が凸部１１の頂部１１ｂから離れた領域に形成されていればいるほど得やすいものである。
【００３４】
ここで、図１に示した偽造防止シート１においては、観察方向によって潜像を浮かび上がらせるためのマーク１２，１３が、それぞれ、シート基材２に形成された凸部１１の側面１１ａの全周に渡って設けられており、かつ、マーク１２が形成された凸部１１の側面１１ａにおけるマーク１２による配色割合と、マーク１３が形成された凸部１１の側面１１ａにおけるマーク１３による配色割合とが、同一方向から観察した場合に互いに異なるものとなっているため、観察方向をシート基材２の平面部３の法線方向からどの方向に変化させていった場合であっても、潜像が浮かび上がって見えるようになる。例えば、偽造防止シート１に対する観察方向を図１中上側に変化させていくと、マーク１３によって構成される潜像「Ｔ」が、図３（ｄ）に示すように浮かび上がって見えるようになり、また、偽造防止シート１に対する観察方向を図１中右側に変化させていくと、マーク１３によって構成される潜像「Ｔ」が、図３（ｅ）に示すように浮かび上がって見えるようになり、また、偽造防止シート１に対する観察方向を図１中左側に変化させていくと、マーク１３によって構成される潜像「Ｔ」が、図３（ｆ）に示すように浮かび上がって見えるようになる。
【００３５】
上述した偽造防止シート１は、複写した場合、シート基材２の情報印刷領域４に印刷された情報や、シート基材２に印刷により設けられたマーク１２，１３は複写されるものの、凸部１１までは再現できない。そのため、複写物の観察方向を変えていった場合であっても、マーク１２，１３の見え方が変化することがなく、マーク１３による潜像は浮かび上がらず、それにより、真偽判別を行うことが可能となる。このように真偽判別を行う際、本形態の偽造防止シート１においては、偽造防止シート１に対する観察方向をシート基材２の平面部３の法線方向からどの方向に変化させていった場合であっても、マーク１２，１３の見え方が変化してマーク１３による潜像が浮かび上がって見えるため、観察方向に制限されることなく潜像による真偽判別を容易に行うことができる。また、凸部１１が、シート基材２の平面部３を窪ませることによって形成されているため、シート基材２を表裏から見た場合や、直接触れた場合において、凸部１１が認識されにくく、凸部１１が再現しにくいものとなり、偽造防止機能を向上させることができる。
【００３６】
なお、偽造防止構造１０に設けられるマーク１２，１３のうち、第１の凸部群を構成する凸部１１に形成されるマーク１３は、凸部１１の側面１１ａのみではなく、頂部１１ｂにも形成されていてもよい。
【００３７】
（第２の実施の形態）
図４は、本発明の偽造防止媒体の第２の実施の形態となる偽造防止シートを示す図であり、（ａ）は全体の構成を示す図、（ｂ）は（ａ）に示した偽造防止構造１１０の詳細な構成を示す図、（ｃ）は第１の凸部群を構成する凸部１１１を（ｂ）中矢印Ａ方向から見た図、（ｄ）は第２の凸部群を構成する凸部１１１を（ｂ）中矢印Ａ方向から見た図である。
【００３８】
本形態の偽造防止シート１０１は図４に示すように、第１の実施の形態に示したものに対して、マトリックス状に形成された複数の凸部１１１のピッチとマーク１１２，１１３のピッチとが同一であり、かつ、複数の凸部１１１の配列方向とマーク１１２，１１３の配列方向とが並行となっているものの、マーク１１２，１１３の行及び列が凸部１１１の行及び列に対してずれている点のみが異なるものである。
【００３９】
上記のように構成された偽造防止シート１０１においても、図４（ｃ），（ｄ）に示すように、側面１１１ａにマーク１１３が形成されて第１の凸部群を構成する凸部１１１と、側面１１１ａにマーク１１２が形成されて第２の凸部群を構成する凸部１１１とでは、マーク１１２，１１３の線幅が互いに異なることにより、同一方向から観察した場合における側面１１１ａの配色割合が互いに異なっている。
【００４０】
そのため、第１の実施の形態に示したものと同様に、偽造防止シート１０１に対する観察方向を正面から変化させていくと、マーク１１２とマーク１１３との線幅の違い、すなわち、この線幅の違いによる第１の凸部群を構成する凸部１１１の側面１１１ａにおける配色割合と第２の凸部群を構成する凸部１１１の側面１１１ａにおける配色割合との違いが明確となり、それにより、マーク１１３が形成された凸部１１１によって構成される潜像「Ｔ」が浮かび上がって見えるようになる。
【００４１】
そして、本形態における偽造防止シート１０１においても、複写した場合、シート基材２の情報印刷領域４に印刷された情報や、シート基材２に印刷により設けられたマーク１１２，１１３は複写されるものの、凸部１１１までは再現できないため、複写物の観察方向を変えていった場合であっても、マーク１１２，１１３の見え方が変化することがなく、マーク１１３による潜像は浮かび上がらず、それにより、真偽判別を行うことが可能となる。なお、本形態においては、偽造防止シート１０１に対する視認方向によっては、第１の凸部群を構成する凸部１１１と第２の凸部群を構成する凸部１１１とでマーク１１２，１１３によって見える配色割合の差があまりない場合が生じるが、その視認方向は一部であるため、それによって偽造防止機能を失うことはない。
【００４２】
（第３の実施の形態）
図５は、本発明の偽造防止媒体の第３の実施の形態となる偽造防止シートを示す図であり、（ａ）は全体の構成を示す図、（ｂ）は（ａ）に示した偽造防止構造２１０の詳細な構成を示す図、（ｃ）は第１の凸部群を構成する凸部２１１を正面から見た図、（ｄ）は第２の凸部群を構成する凸部２１１を正面から見た図である。
【００４３】
本形態の偽造防止シート２０１は図５に示すように、第１の実施の形態に示したものに対して、シート基材２にマトリックス状に設けられた複数の凸部２１１の側面２１１ａに形成されたマーク２１２，２１３が、それぞれ側面２１１ａの周方向に４等分され、分割された領域のそれぞれの色となるマーク色２１２ａ〜２１２ｄ，２１３ａ〜２１３ｄが互いに異なる点のみが異なるものである。なお、このマーク色２１２ａ〜２１２ｄ，２１３ａ〜２１３ｄは、第１の凸部群を構成する凸部１１１と第２の凸部群を構成する凸部１１１とで、同一方向から観察した場合に同じ色となっている。
【００４４】
上記のように構成された偽造防止シート２０１においても、図５（ｃ），（ｄ）に示すように、側面２１１ａにマーク２１３が形成されて第１の凸部群を構成する凸部２１１と、側面２１１ａにマーク２１２が形成されて第２の凸部群を構成する凸部２１１とでは、マーク２１２，２１３の線幅が互いに異なることにより、同一方向から観察した場合における側面２１１ａの配色割合が互いに異なっている。
【００４５】
そのため、第１の実施の形態に示したものと同様に、偽造防止シート２０１に対する観察方向を正面から変化させていくと、マーク２１２とマーク２１３との線幅の違い、すなわち、この線幅の違いによる第１の凸部群を構成する凸部２１１の側面２１１ａにおける配色割合と第２の凸部群を構成する凸部２１１の側面２１１ａにおける配色割合との違いが明確となり、それにより、マーク２１３が形成された凸部２１１によって構成される潜像「Ｔ」が浮かび上がって見えるようになる。
【００４６】
そして、本形態における偽造防止シート２０１においても、複写した場合、シート基材２の情報印刷領域４に印刷された情報や、シート基材２に印刷により設けられたマーク２１２，２１３は複写されるものの、凸部２１１までは再現できないため、複写物の観察方向を変えていった場合であっても、マーク２１２，２１３の見え方が変化することがなく、マーク２１３による潜像は浮かび上がらず、それにより、真偽判別を行うことが可能となる。
【００４７】
さらに本形態においては、偽造防止構造２１０を観察する方向によってマーク２１２，２１３の視認される色が変化するため、それによっても真偽判別を行うことが可能となる。
【００４８】
なお、上述した３つの実施の形態においては、潜像「Ｔ」を表現する凸部１１，１１１，２１１の側面１１ａ，１１１ａ，２１１ａに形成された第１の凸部群を構成するマーク部１３，１１３，２１３の線幅が、その他の凸部１１，１１１，２１１の側面１１ａ，１１１ａ，２１１ａに形成された第２の凸部群を構成するマーク部１２，１１２，２１２の線幅よりも太いものを例に挙げて説明したが、第１の凸部群を構成するマーク部１３，１１３，２１３の線幅と、第２の凸部群を構成するマーク部１２，１１２，２１２の線幅とが互いに異なるものであれば、第１の凸部群を構成するマーク部１３，１１３，２１３の線幅が、第２の凸部群を構成するマーク部１２，１１２，２１２の線幅よりも細いものであってもよい。
【００４９】
また、上述した３つの実施の形態における凸部１１，１１１，２１１の高さや平面部３から窪んだ底部の寸法については、上述したものに限らず、適宜設定が可能である。
【００５０】
また、凸部１１，１１１，２１１においては、円柱形のものや頂部１１ｂ，１１１ｂ，２１１ｂがない円錐形のものやドーム型のものとすることも考えられる。また、断面が矩形状となるものとすることも考えられる。また、シート基材２の平面部３を窪ませることによって形成されるものに限らず、シート基材２の平面部３から平面部３の法線方向に突出したものであってもよい。
【００５１】
また、潜像となる情報は、上述した「Ｔ」のように複数の凸部１１，１１１，２１１のうち「Ｔ」となる位置にマーク１３，１１３，２１３を形成したものに限らず、複数の凸部１１，１１１，２１１のうち行あるいは列を構成する凸部１１，１１１，２１１のみにマーク１３，１１３，２１３を形成したものであってもよい。また、一文字からなるものに限らず、複数の文字からなるものや模様等であってもよい。また、潜像を表現する第１の凸部群を構成する複数の凸部１１，１１１，２１１を複数の領域に分割し、その複数の領域毎に文字等が浮かび上がる構成とすることも考えられる。また、第２の凸部群を構成する複数の凸部１１，１１１，２１１が、第１の凸部群を構成する複数の凸部１１，１１１，２１１が形成された領域を完全に取り囲むのではなく、一部が開放されるようにして、第２の凸部群を構成する複数の凸部１１，１１１，２１１が、第１の凸部群を構成する複数の凸部１１，１１１，２１１が形成された領域を囲むような形状であってもよい。
【００５２】
また、上述した３つの実施の形態においては、偽造防止媒体として、紙からなるシート基材２に偽造防止構造１０，１１０，２１０が設けられた偽造防止シート１，１０１，２０１を例に挙げて説明したが、本発明はこのような偽造防止シート１，１０１，２０１に限らず、フィルムからなるシート基材や複数の樹脂層が積層されてなるカード基材に上述したような偽造防止構造１０，１１０，２１０を設けたものにも適用することが可能である。
【図面の簡単な説明】
【００５３】
【図１】本発明の偽造防止媒体の第１の実施の形態となる偽造防止シートを示す図であり、（ａ）は全体の構成を示す図、（ｂ）は（ａ）に示した偽造防止構造の詳細な構成を示す図、（ｃ）は（ｂ）に示したＡ−Ａ’断面図、（ｄ）は第１の凸部群を構成する凸部の構成を示す図、（ｅ）は第２の凸部群を構成する凸部の構成を示す図である。
【図２】図１に示した偽造防止シートを正面から観察した場合の作用を説明するための図であり、（ａ）は第１の凸部群を構成する凸部における光の反射を示す図、（ｂ）は（ａ）に示した光の反射によるマークの見え方を示す図、（ｃ）は第２の凸部群を構成する凸部における光の反射を示す図、（ｄ）は（ｃ）に示した光の反射によるマークの見え方を示す図、（ｅ）は偽造防止構造におけるマークの見え方を示す図である。
【図３】図１に示した偽造防止シートに対する観察方向を正面から変化させていった場合の作用を説明するための図であり、（ａ）は第１の凸部群を構成する凸部における光の反射を示す図、（ｂ）は第２の凸部群を構成する凸部における光の反射を示す図、（ｃ）〜（ｆ）は偽造防止構造におけるマークの見え方を示す図である。
【図４】本発明の偽造防止媒体の第２の実施の形態となる偽造防止シートを示す図であり、（ａ）は全体の構成を示す図、（ｂ）は（ａ）に示した偽造防止構造の詳細な構成を示す図、（ｃ）は第１の凸部群を構成する凸部を（ｂ）中矢印Ａ方向から見た図、（ｄ）は第２の凸部群を構成する凸部を（ｂ）中矢印Ａ方向から見た図である。
【図５】本発明の偽造防止媒体の第３の実施の形態となる偽造防止シートを示す図であり、（ａ）は全体の構成を示す図、（ｂ）は（ａ）に示した偽造防止構造の詳細な構成を示す図、（ｃ）は第１の凸部群を構成する凸部を正面から見た図、（ｄ）は第２の凸部群を構成する凸部を正面から見た図である。
【符号の説明】
【００５４】
１，１０１，２０１    偽造防止シート
２    シート基材
３    平面部
４    情報印刷領域
１０，１１０，２１０    偽造防止構造
１１，１１１，２１１    凸部
１１ａ，１１１ａ，２１１ａ    側面
１１ｂ，１１１ｂ，２１１ｂ    頂部
１２，１１２，２１２，１３，１１３，２１３    マーク
２１２ａ〜２１２ｄ，２１３ａ〜２１３ｄ    マーク色
【図１】
0005033538.tif 000002
【図２】
0005033538.tif 000003
【図３】
0005033538.tif 000004
【図４】
0005033538.tif 000005
【図５】
0005033538.tif 000006